(57)【要約】      （修正有）【課題】ケーブルトラフを載置する枠体の位置を調整できるトラフ支持器具を提供する。【解決手段】ケーブルトラフを載置する水平枠材１０を有する矩形状の枠体１と、枠体の左側の垂直枠材１２に固定され、トラフ敷設箇所に打込んだ支持杭に外嵌される杭嵌込み筒体２と、杭嵌込み筒体を支持杭に固定するボルト４１、４２を備える筒体固定具と、枠体の上側の水平枠材に配置されて、ケーブルトラフを枠体に固定するトラフ固定具６と、枠体の右側の垂直枠材側の下側の水平枠材１１に配置されて、下側の水平枠材と直交する方向に移動自在に、水平枠材を貫通するネジ脚８１と、ネジ脚の調整ネジ軸８７に螺着されて、下側の水平枠材に当接して挟持する上側及び下側の固定ナット８２、８４を備える。【選択図】図７
0003229820.tif 000002
【実用新案登録請求の範囲】
【請求項１】
ケーブルトラフを載置する上側の水平枠材、上側の前記水平枠材に間隔を隔てて平行する下側の水平枠材、前記各水平枠材に直交する左側の垂直枠材、左側の前記垂直枠材に間隔を隔てて平行し、及び前記各水平枠材に直交する右側の垂直枠材を有する枠体と、
杭嵌込み穴を有し、穴中心線を前記各水平枠材と直交方向に向けて一方の前記垂直枠材に固定され、トラフ敷設箇所に打込まれた支持杭に外嵌され、前記支持杭の杭中心線の方向に移動自在に、当該支持杭を前記杭嵌込み穴に挿通する杭嵌込み筒体と、
前記杭嵌込み筒体を前記支持杭に固定する筒体固定具と、
上側の前記水平枠材に配置され、前記ケーブルトラフを上側の前記水平枠材に固定するトラフ固定具と、
調整ネジ軸、及び前記調整ネジ軸の軸中心線に直交して、前記調整ネジ軸の一方の軸端に固定される座板を有し、他方の前記垂直枠材側の下側の前記水平枠材に配置されるネジ脚と、
上側の固定ナットと、
下側の固定ナットと、を備え、
前記調整ネジ軸は、
軸中心線を下側の前記水平枠材と直交方向に向けて配置され、
下側の前記水平枠材と直交方向に移動自在に、下側の前記水平枠材を貫通し、及び他方の軸端を前記各水平枠材の間に突出して配置され、
上側の前記固定ナットは、
前記調整ネジ軸の他方の軸端、及び下側の前記水平枠材の間の前記調整ネジ軸に螺着され、及び下側の前記水平枠材に当接自在にされ、
下側の前記固定ナットは、
前記座板、及び下側の前記水平枠材の間の前記調整ネジ軸に螺着され、及び下側の前記水平枠材に当接自在にされる
ことを特徴とするトラフ支持器具。
【考案の詳細な説明】
【技術分野】
【０００１】
本考案は、ケーブルトラフを敷設するために使用されるトラフ支持器具に関する。
【背景技術】
【０００２】
ケーブルトラフを敷設する技術として、特許文献１は、トラフ支持構造を開示する。トラフ支持構造は、複数のトラフ支持杭、及びトラフ支持台を備える。各トラフ支持杭は、外周に羽根を有するスクリュー状に形成される。トラフ支持構造において、各トラフ支持杭は、相互に間隔を隔てて配置されて、回転されて地中に差込まれる。トラフ支持台は、各トラフ支持杭に架設される。トラフ支持構造は、ケーブルトラフをトラフ支持台上に配置して敷設する。
【先行技術文献】
【特許文献】
【０００３】
【特許文献１】特開２００１−９５１３７号公報
【考案の概要】
【考案が解決しようとする課題】
【０００４】
特許文献１のトラフ支持構造は、トラフ支持台の位置（高さ位置）を調整する機構がなく、連続するトラフ支持台を接合するのに時間を要する。
【０００５】
本考案は、ケーブルトラフを載置する枠体の位置を調整できるトラフ支持器具を提供することにある。
【課題を解決するための手段】
【０００６】
本考案に係る請求項１は、ケーブルトラフを載置する上側の水平枠材、上側の前記水平枠材に間隔を隔てて平行する下側の水平枠材、前記各水平枠材に直交する左側の垂直枠材、左側の前記垂直枠材に間隔を隔てて平行し、及び前記各水平枠材に直交する右側の垂直枠材を有する枠体と、杭嵌込み穴を有し、穴中心線を前記各水平枠材と直交方向に向けて一方の前記垂直枠材に固定され、トラフ敷設箇所に打込まれた支持杭に外嵌され、前記支持杭の杭中心線の方向に移動自在に、当該支持杭を前記杭嵌込み穴に挿通する杭嵌込み筒体と、前記杭嵌込み筒体を前記支持杭に固定する筒体固定具と、上側の前記水平枠材に配置され、前記ケーブルトラフを上側の前記水平枠材に固定するトラフ固定具と、調整ネジ軸、及び前記調整ネジ軸の軸中心線に直交して、前記調整ネジ軸の一方の軸端に固定される座板を有し、他方の前記垂直枠材側の下側の前記水平枠材に配置されるネジ脚と、上側の固定ナットと、下側の固定ナットと、を備え、前記調整ネジ軸は、軸中心線を下側の前記水平枠材と直交方向に向けて配置され、下側の前記水平枠材と直交方向に移動自在に、下側の前記水平枠材を貫通し、及び他方の軸端を前記各水平枠材の間に突出して配置され、上側の前記固定ナットは、前記調整ネジ軸の他方の軸端、及び下側の前記水平枠材の間の前記調整ネジ軸に螺着され、及び下側の前記水平枠材に当接自在にされ、下側の前記固定ナットは、前記座板、及び下側の前記水平枠材の間の前記調整ネジ軸に螺着され、及び下側の前記水平枠材に当接自在にされることを特徴とするトラフ支持器具である。
【考案の効果】
【０００７】
本考案によれば、支持杭に外嵌される杭嵌込み筒体、筒体固定具、ネジ脚の調整ネジ軸、上側の固定ナット及び下側の固定ナットによって、ケーブルトラフを載置する枠体の高さ位置（支持杭の杭中心線の方向の位置）を調整できる。
本考案において、杭嵌込み筒体は、トラフ敷設箇所に打込んだ支持杭に移動自在に外嵌され、ネジ脚は、各固定ナットの一方又は両方を回動して、下側の水平枠材から離間することで、下側の水平枠材と直交方向（杭中心線の方向）に移動自在にされる。杭嵌込み筒体、及びネジ脚を移動自在にすると、ケーブルトラフを載置する枠体（上側の水平枠材）は、支持杭及びネジ脚に対して移動自在となる。ネジ脚の座板をトラフ敷設箇所に当接して、枠体を支持杭、及びネジ脚に対して移動することで、枠体の位置（支持杭の杭中心線の方向の位置）を調整する。
これにより、ケーブルトラフを上側の水平枠材に載置する枠体は、任意の位置（支持杭の杭中心線の方向の任意の位置）に調整できる。
本考案において、枠体の位置を調整すると、各固定ナットを回動して下側の水平枠材に当接して、各固定ナットにて下側の水平枠材を挟むことで、ネジ脚は、枠体（下側の水平枠材）に固定される。杭嵌込み筒体は、筒体固定具によって支持杭に固定される。
これにより、ケーブルトラフを上側の水平枠材に載置する枠体は、支持杭、及びネジ脚によって、任意の位置に支持される。
本考案において、枠体を支持杭、及びネジ脚に固定すると、ケーブルトラフを上側の水平枠材上に載置して、トラフ固定具によって上側の水平枠材に固定する。ケーブルトラフ内には、例えば、電線、光ファイバ等のケーブルが収納される。
【図面の簡単な説明】
【０００８】
【図１】トラフ支持器具を示す正面図である。
【図２】トラフ支持器具を示す背面図（裏面図）である。
【図３】トラフ支持器具を示す右側面図である。
【図４】トラフ支持器具を示す左側面図である。
【図５】トラフ支持器具を示す平面図（上面図）である。
【図６】トラフ支持器具を示す底面図（下面図）である。
【図７】トラフ支持器具を示す背面斜視図（裏面斜視図）である。
【図８】図５のＤ−Ｄ断面図である。
【図９】（ａ）は、杭嵌込み筒体を示す図２の部分拡大図、（ｂ）は、図２のＡ−Ａ断面拡大図である。
【図１０】（ａ）は、図２のＢ部分拡大図、（ｂ）は、図２のＣ部分拡大図である。
【図１１】（ａ）は、図５のＥ部分拡大図、（ｂ）は、図５のＦ部分拡大図である。
【図１２】（ａ）は、図８のＧ部分拡大図、（ｂ）は、図８のＨ部分拡大図である。
【図１３】鉄道線路の側方（トラフ敷設箇所）に複数の支持杭を打込んだ斜視図である。
【図１４】鉄道線路の側方（トラフ敷設箇所）に打込んだ各支持杭に、複数のトラフ支持器具を設置した斜視図である。
【図１５】鉄道線路の側方（トラフ敷設箇所）に打込んだ各支持杭に、トラフ支持器具を設置した正面図である。
【図１６】杭嵌込み筒体、各杭案内筒体、及び支持杭の関係を示す背面図である。
【図１７】図１５のケーブルトラフ、枠体及び各トラフ固定体を示す一部拡大図である。
【図１８】（ａ）は、図１７のＪ部分拡大図、（ｂ）は、図１７のＫ部分拡大図である。
【図１９】図１５のＩ−Ｉ断面拡大図である。
【考案を実施するための形態】
【０００９】
本考案に係るトラフ支持器具について、図１乃至図１９を参照して説明する。
【００１０】
図１３乃至図１９において、トラフ支持器具Ｘは、例えば、鉄道線路ＲＷに沿ってケーブルトラフＹ（トラフ）を施設するために用いられる。
【００１１】
トラフ支持器具Ｘは、図１乃至図８に示すように、枠体１、杭嵌込み筒体２、上側の杭案内筒体３、下側の杭案内筒体４、筒体固定具５、トラフ固定具６、及び位置調整具７（高さ位置調整具）を備える。
【００１２】
枠体１は、図１乃至図８に示すように、例えば、矩形状枠体（又は四角形枠体）である。枠体１は、上側の水平枠材１０（上水平枠材／上枠材）、下側の水平枠材１１（下水平枠材／下枠材）、左側の垂直枠材１２（左垂直枠材／左枠材）、及び右側の垂直枠材１３（右垂直枠材／右枠材）を有する。
【００１３】
各水平枠材１０，１１、及び各垂直枠材１２，１３は、図１乃至図８に示すように、例えば、金属（鉄、ステンレス等）のＬ字曲げ板で形成される。
各水平枠材１０，１１は、板長さ：Ｌ１、及び板幅：Ｈを有し、各垂直枠材１２，１３は、板長さ：Ｌ２（但し、Ｌ２＜Ｌ１）、及び板幅：Ｈを有する。
【００１４】
上側の水平枠材１０は、ケーブルトラフＹを載置する（図１５、図１７乃至図１９参照）。上側の水平枠材１０、及び下側の水平枠材１１は、図１乃至図４、図７及び図８に示すように、Ｌ字曲げ板の一方の各水平板１０Ａ，１１Ａを対向（対峙）して平行に配置される。
下側の水平枠材１１（一方の水平板１１Ａ）は、図１乃至図４、図７及び図８に示すように、上側の水平枠材１０（一方の水平板１０Ａ）に間隔Ｗ１（縦枠隙間）を隔てて平行して配置される。
【００１５】
左側の垂直枠材１２は、図１乃至図８に示すように、各水平枠材１０，１１の一方の板端１０ａ，１１ａ（板長手端）に当接して、各水平枠材１０，１１の間に配置される。左側の垂直枠材１２は、各水平枠材１０，１１に直交（交差）して配置されて、各水平枠材１０，１１に連結（固定）される。
左側の垂直枠材１２は、Ｌ字曲げ板の一方の垂直板１２Ａを各水平枠材１０，１１の一方の板端１０ａ，１１ａに当接して各水平枠材１０，１１に連結（固定）される。
【００１６】
右側の垂直枠材１３は、図１乃至図８に示すように、左側の垂直枠材１２に間隔Ｗ２（横枠間隔）を隔てて平行して配置される。右側の垂直枠材１３は、図１乃至図８に示すように、各水平枠材１０，１１の他方の板端１０ｂ，１１ｂ（板長手端）に当接して、各水平枠材１０，１１の間に配置される。右側の垂直枠材１３は、各水平枠材１０，１１に直交（交差）して配置されて、各水平枠材１０，１１に連結（固定）される。
右側の垂直枠材１３は、Ｌ字曲げ板の一方の垂直板１３Ａを各水平枠材１０，１１の他方の板端１０ｂ，１１ｂに当接して各水平枠材１０，１１に連結（固定）される。
これにより、枠体１は、板長さ：Ｌ１の各水平枠材１０，１１、及び板長さ：Ｌ２（Ｌ２＜Ｌ１）の各垂直枠材１２，１３にて矩形状（矩形枠体／四角形枠体）に形成される。
枠体１において、各水平枠材１０，１１の水平板１０Ａ，１１Ａは、図３乃至図６に示すように、各水平枠材１０，１１及び垂直枠材１２，１３と直交方向ＦＲ（以下、「前後方向ＦＲ」という）に板幅Ｈを有して配置される。
【００１７】
枠体１において、上側の水平枠材１０は、図５、図７及び図８に示すように、複数（一対）のガイド長穴１５，１６を有する。各ガイド長穴１５，１６は、前後方向ＦＲ及び各垂直枠材１２，１３と直交方向ＬＲ（以下、「左右方向ＬＲ」という）において、上側の水平枠材１０の中央点ｂの両側に配置される。各ガイド長穴１５，１６は、左右方向ＬＲにおいて、上側の水平枠材１０の中央点ｂに穴間隔ＨＤを隔てて配置されて、各垂直枠材１２，１３に向けて延在される。各ガイド長穴１５，１６は、図５に示すように、前後方向ＦＲにおいて、水平板１０Ａの板幅Ｈの中心に配置される。
各ガイド長穴１５，１６は、各水平枠材１０，１１と直交方向ＵＤ（以下、「上下方向ＵＤ」という）において、上側の水平枠材１０の水平板１０Ａを貫通して形成される。
【００１８】
枠体１において、下側の水平枠材１１は、図２及び図８に示すように、脚ガイド穴１７を有する。脚ガイド穴１７は、左右方向ＬＲにおいて、右側の垂直枠材１３（他方の垂直枠材）に間隔を隔てて、垂直枠材１３に隣接して配置される。脚ガイド穴１７は、左右方向ＬＲにおいて、ガイド長穴１６及び右側の垂直枠材１３（垂直板１３Ａ）の間に配置される。脚ガイド穴１７は、前後方向ＦＲにおいて、水平板１１Ａの板幅Ｈの中心に配置される。
脚ガイド穴１７は、上下方向ＵＤにおいて、下側の水平枠材１１の水平板１１Ａを貫通して形成される。
【００１９】
杭嵌込み筒体２は、図１乃至図８に示すように、例えば、金属（鉄、ステンレス等）の円筒体（円筒状）に形成される。杭嵌込み筒体２は、直径：Ｄの円形の杭嵌込み穴２１（杭嵌込み円穴）、スリット穴２２、及び複数（一対）の突出片２３，２４を有する。
【００２０】
杭嵌込み穴２１は、図１、図２、及び図７乃至図９に示すように、杭嵌込み筒体２の両筒端に開口する。
【００２１】
スリット穴２２は、図８及び図９に示すように、杭嵌込み筒体２の円周方向にスリット幅ＨＳを有して、杭嵌込み穴２１の穴中心線ｃの方向に延在される。スリット穴２２は、杭嵌込み筒体２の両筒端に開口する。スリット穴２２は、杭嵌込み穴２１の穴中心線ｃと直交方向に貫通して、杭嵌込み筒体２の外周面２Ａ及び杭嵌込み穴２１（内周面）に開口する。
【００２２】
各突出片２３，２４は、図３乃至図７、及び図９に示すように、軸嵌込み筒体２の外周面２Ａに固定される。各突出片２３，２４は、杭嵌込み筒体２の円周方向に並列されて、杭嵌込み筒体２の外周面２Ａから径外方向に突出される。各突出片２３，２４は、相互の間にスリット穴２２を位置して、スリット穴２２に連続して配置される。
【００２３】
突出片２３は、図９に示すように、複数（一対）のネジ通し穴２６を有し、各ネジ通し穴２６は、上下方向ＵＤ（杭嵌込み穴２１の穴中心線ｃの方向）に並列されて、左右方向ＬＲ（杭嵌込み穴２１の穴中心線ｃと直交方向）において、突出片２３を貫通して形成される。
【００２４】
突出片２４は、図９に示すように、複数（一対）のネジ穴２７を有する。各ネジ穴２７は、各ネジ通し穴２６に対向（対峙）して、突出片２４に配置される。各ネジ穴２７は、上下方向ＵＤ（杭嵌込み穴２１の穴中心線ｃの方向）に並列されて、左右方向ＬＲ（杭跳込み穴２１の穴中心線ｃと直交方向）において、突出片２４を貫通して形成される。
【００２５】
突出片２３の各ネジ通し穴２６、及び突出片２４の各ネジ穴２７は、図９に示すように、相互の間にスリット穴２２を位置（配置）して連通される。
【００２６】
杭嵌込み筒体２は、図１、図２、図４、図７及び図８に示すように、例えば、枠体１の外側に配置されて、左側の垂直枠材１２（一方の垂直枠材）に固定される。杭嵌込み筒体２は、杭嵌込み穴２１の穴中心線ｃ（筒中心線）を、上下方向ＵＤ（各水平枠材１０，１１と直交方向ＵＤ）に向けて左側の垂直枠材１２（一方の垂直板１２Ａ及び他方の垂直板１２Ｂ）に固定される。
杭嵌込み筒体２は、図１４乃至図１６に示すように、トラフ施設箇所ＳＯに打込まれた支持杭Ｚに外嵌される。杭嵌込み筒体２は、支持杭Ｚの杭中心線ｄの方向に移動自在として、支持杭Ｚを杭嵌込み穴２１に挿通（貫通）する。
【００２７】
上側の杭案内筒体３は、図１乃至図５、図７及び図８に示すように、例えば、金属（鉄、ステンレス等）の円筒体（円筒状）に形成される。杭案内筒体３は、杭嵌込み筒体２と同一直径の案内穴３１（案内円穴）を有する。案内穴３１は、上側の杭案内筒体３の両筒端に開口する。
上側の杭案内筒体３は、図１乃至図５、図７及び図８に示すように、枠体１の外側に配置されて、杭嵌込み筒体２に並列される。上側の杭案内筒体３は、左側の垂直枠材１２（各垂直板１２Ａ，１２Ｂ）に固定される。上側の杭案内筒体３は、上下方向ＵＤにおいて、上側の水平枠材１０及び杭嵌込み筒体２の間（杭嵌込み筒体２より水平枠材１０側）に配置される。上側の杭案内筒体３は、案内穴３１の穴中心線を、上下方向ＵＤに向けて、杭嵌込み筒体２（杭嵌込み穴２１）と同心に配置される。
【００２８】
下側の杭案内筒体４は、図１乃至図４、及び図６乃至図８に示すように、例えば、金属（鉄、ステンレス等）の円筒体（円筒状）に形成される。杭案内筒体４は、杭嵌込み筒体２と同一直径の案内穴３２（案内円穴）を有する。案内穴３２は、下側の杭案内筒体４の両筒端に開口する。
下側の杭案内筒体４は、図１乃至図４、及び図６乃至図８に示すように、枠体１の外側に配置されて、杭嵌込み筒体２に並列される。下側の杭案内筒体４は、左側の垂直枠材１２（各垂直板１２Ａ，１２Ｂ）に固定される。下側の杭案内筒体４は、上下方向ＵＤにおいて、下側の水平枠材１１及び杭嵌込み筒体２の間（杭嵌込み筒体２より水平枠材１１側）に配置される。下側の杭案内筒体４は、案内穴３２の穴中心線を、上下方向ＵＤに向けて、杭嵌込み筒体２（杭嵌込み穴２１）と同心に配置される。
【００２９】
筒体固定具５は、図２乃至図９に示すように、例えば、金属（鉄、ステンレス等）のボルト４１，４２（筒体固定ボルト）を備える。各ボルト４１，４２は、ネジ軸４３及び頭部４４を有する。
各ボルト４１，４２は、ネジ軸４３を突出片２３の各ネジ通し穴２６に挿通（貫通）して、更に、ネジ軸４３を突出片２４の各ネジ穴２７に螺着（螺入）して、杭嵌込み筒体２（各突出片２３，２４）に取付けられる。各ボルト４１，４２は、頭部４４を突出片２３に当接して配置される。
【００３０】
トラフ固定具６は、図１乃至図５、図７、図８、及び図１０乃至図１２に示すように、上側の水平枠材１０（枠体１）に配置されて、ケーブルトラフＹを上側の水平枠材１０上（水平板１０Ａ上）に固定する。
トラフ固定具６は、左側のトラフ固定体５１（左トラフ固定体）、及び右側のトラフ固定体５２（右トラフ固定体）を備える。
【００３１】
各トラフ固定体５１，５２は、図１乃至図４、図７、及び図１０乃至図１２に示すように、トラフ固定本体５５、トラフ固定ボルト５６及びトラフ固定ナット５７を有して構成される。
【００３２】
トラフ固定本体５５は、図１０乃至図１２に示すように、複数（一対）のトラフ固定板６１，６２を有して構成される。トラフ固定板６１は、例えば、板長さ：ＬＰの金属（鉄、ステンレス等）のＬ字曲げ板で形成されて、固定水平板６５及び固定垂直板６６を有する。トラフ固定板６２は、例えば、板長さ：ＬＰの金属（鉄、ステンレス等）のＬ字曲げ板で形成されて、固定水平板６７及び固定垂直板６８を有する。各トラフ固定板６１，６２の板長さ：ＬＰは、上側の水平枠材１０（水平板１０Ａ）の板幅：Ｈと同一である（ＬＰ＝Ｈ）。
【００３３】
トラフ固定板６１は、図１０及び図１２に示すように、固定水平板６５をトラフ固定板６２の固定水平板６７に平行に配置されて、固定水平板６５をトラフ固定板６２の固定垂直板６８に当接して配置される。
トラフ固定板６２は、図１０及び図１２に示すように、固定水平板６７をトラフ固定板６１の固定水平板６５に平行に配置して、固定水平板６７をトラフ固定板６１の固定垂直板６６に当接して配置される。
【００３４】
各トラフ固定板６１，６２は、図１０に示すように、各固定水平板６５，６７を各固定垂直板６６，６８の板幅端６６ａ，６８ａに間隔δを隔てて、各固定垂直板６６，６８に固定される。
これにより、各トラフ固定体５１，５２は、トラフ固定板６２の固定垂直板６８（固定垂直板６８の外側）に挟持面ＳＰ（挟持面）、及びトラフ固定板６２の固定水平板６７（固定水平板６７の外側）に挟持平面ＳＰと直交（交差）する押え平面ＯＰ（押え面）を有する。
各トラフ固定体５１，５２は、図１０及び図１２に示すように、トラフ固定板６１の固定垂直板６６をトラフ固定板６１の固定水平板６７（押え平面ＯＰ）から突出した突起片６９（突起）を有する。突起片６９は、トラフ固定板６２の固定水平板６７（押え平面ＯＰ）に間隔δ（突出間隔）を隔てて、固定水平板６７から突出する。
【００３５】
ボルト通し穴６３は、図１２に示すように、各トラフ固定板６１，６２の固定水平板６５，６７の中心に配置される。ボルト通し穴６３は、各固定水平板６５，６７と直交方向において、各固定水平板６５，６７を貫通して、各トラフ固定体５１，５２に形成される。
【００３６】
トラフ固定体５１は、図１、図２、図７及び図１０乃至図１２に示すように、挟持平面ＳＰ（固定垂直板６８）を右側の垂直枠材１３に向け、及び押え平面ＯＰ（固定水平板６７）を上側の水平枠材１０（水平板１０Ａ）に向けて、水平板１０Ａ上に配置される。トラフ固定体５１は、ガイド長穴１５に位置して、水平板１０Ａ上に配置される。
これにより、トラフ固定体５１は、突起片６９（固定垂直板６６）を上側の水平枠材１０の水平板１０Ａに当接自在に配置される。トラフ固定体５１は、突起片６９を水平板１０Ａに当接した状態において、水平板１０Ａ及び押え平面ＯＰ（固定水平板６７）の間にトラフ隙間δ（間隔δ）を有して、上側の水平枠材１０上（水平板１０Ａ上）に配置される。
【００３７】
トラフ固定体５２は、図１、図２、図７及び図１０乃至図１２に示すように、挟持平面ＳＰ（固定垂直板６８）を左側の垂直枠材１２に向け、及び押え平面ＯＰ（固定水平板６７）を上側の水平枠材１０（水平板１０Ａ）に向けて、水平板１０Ａ上（上側の水平枠材１０上）に配置される。トラフ固定体５２は、ガイド長穴１６上に位置して、水平板１０Ａ上に配置される。
これにより、トラフ固定体５２は、突起片６９（固定垂直板６６）を上側の水平枠材１０（水平板１０Ａ）に当接自在に配置される。トラフ固定体５２は、突起片６９を水平板１０Ａに当接した状態において、水平板１０Ａ及び押え平面ＯＰ（固定水平板６７）の間にトラフ隙間δ（間隔δ）を有して、上側の水平枠材１０上（水平板１０Ａ上）に配置される。
【００３８】
各トラフ固定体５１，５２において、トラフ固定ボルト５６は、図１０乃至図１２に示すように、金属（鉄、ステンレス等）で形成されて、ネジ軸７１及び頭部７２を有する。
トラフ固定ボルト５６は、図１０乃至図１２に示すように、ネジ軸７１を各トラフ固定体５１，５２のボルト通し穴６３、及び各ガイド長穴１５，１６の順に挿通（貫通）して、上側の水平枠材１０（水平板１０Ａ）から下側の水平枠材１１側（水平板１１Ａ側）に突出して配置される。
トラフ固定ボルト５６は、頭部７２をトラフ固定板６１の固定水平板６５に当接して配置される。
【００３９】
各トラフ固定体５１，５２において、トラフ固定ナット５７は、図１０及び図１２に示すように、金属（鉄、ステンレス等）で形成されて、各水平枠材１０の間に配置される。トラフ固定ナット５７は、下側の水平枠材１１側に突出した各トラフ固定ボルト５６のネジ軸７１に螺着して、各トラフ固定体５１，５２に配置される。
トラフ固定ナット５７は、上側の水平枠材１０の水平板１０Ａに当接自在に、ネジ軸７１に螺着される。
これにより、各トラフ固定体５１，５２（トラフ固定本体５５）は、各ガイド長穴１５，１６、及び各ガイド長穴１５，１６を挿通したトラフ固定ボルト５６（ネジ軸７１）によって、各ガイド長穴１５，１６に沿って左右方向ＬＲに移動自在にされる。
【００４０】
位置調整具７は、図１乃至図４、及び図６乃至図８に示すように、枠体１（下側の水平枠材１１）に配置されて、上下方向ＵＤにおいて、枠体１の位置（枠体１の高さ位置）を調整する。
位置調整具７は、図１乃至図８に示すように、ネジ脚８１、上側の固定ナット８２（上固定ナット）、下側の固定ナット８３（下固定ナット）、及び回止めナット８４を備える。
【００４１】
ネジ脚８１は、図１乃至図８に示すように、金属（鉄、ステンレス等）で形成されて、調整ネジ軸８７、及び座板８８を有する。座板８８は、板表平面８８Ａ（板表面）及び板裏平面８８Ｂ（板裏面）を調整ネジ軸８７の軸中心線ｅに直交して、調整ネジ軸８７の一方の軸端８７Ａ（一方のネジ軸端）に固定される。座板８８は、板表平面８８Ａを調整ネジ軸８７の一方の軸端８７Ａに当接して、調整ネジ軸８７に固定される。
【００４２】
ネジ脚８１は、図１、図２、及び図５乃至図８に示すように、右側の垂直枠材１３側（他方の垂直枠材側）の下側の水平枠材１１（水平板１１Ａ）に配置される。
【００４３】
ネジ脚８１において、調整ネジ軸８７は、図１乃至図４、図７及び図８に示すように、軸中心線ｅ（ネジ軸中心線）を下側の水平枠材１１（水平板１１Ａ）と直交方向ＵＤ（上下方向ＵＤ）に向けて配置される。調整ネジ軸８７は、下側の水平枠材１１と直交方向ＵＤ（上下方向ＵＤ）に移動自在に、下側の水平枠材１１（水平板１１Ａ）を貫通し、及び他方の軸端８７Ｂ（他方のネジ軸端）を各水平枠材１０，１１の間に突出して配置される。
調整ネジ軸８７は、図２及び図８に示すように、他方の軸端８７Ｂから脚ガイド穴１７（水平板１１Ａ）を挿通（貫通）して、他方の軸端８７Ｂを各水平枠材１０，１１の間に突出して配置される。
これにより、ネジ脚８１は、枠体１の外側から調整ネジ軸８７を脚ガイド穴１７（水平板１１Ａ）に挿通（貫通）して配置されて、各水平枠材１０，１１の間に調整ネジ軸８７の他方の軸端８７Ｂ側が配置され、枠体１の外側（下側の水平枠材１１の下方）に調整ネジ軸８７の一方の軸端８７Ａ側及び座板８８が配置される。
【００４４】
上側の固定ナット８２（上側の固定部材）は、図２、図７及び図８に示すように、金属（鉄、ステンレス等）で形成されて、調整ネジ軸８７の他方の軸端８７Ｂ（ネジ軸端）、及び下側の水平枠材１１（水平板１１Ａ）の間の調整ネジ軸８７に螺着されて配置される。上側の固定ナット８２は、下側の水平枠材１１（水平板１１Ａ）に当接自在にされる。
調整ネジ軸８７は、図２、図７及び図８に示すように、上側の固定ナット８２に螺入（螺着）されて、上側の固定ナット８２を下側の水平枠材１１（水平板１１Ａ）に当接自在として、他方の軸端８７Ｂ及び下側の水平枠材１１の間に配置する。
【００４５】
下側の固定ナット８３（下側の固定部材）は、図１乃至図４、及び図８に示すように、金属（鉄、ステンレス等）で形成されて、座板８８、及び下側の水平枠材１１（水平板１１Ａ）の間の調整ネジ軸８７に螺着されて配置される。下側の固定ナット８３は、下側の水平枠材１１（水平板１１Ａ）に当接自在にされる。
調整ネジ軸８７は、図１乃至図４、及び図８に示すように、下側の固定ナット８３に螺入（螺着）されて、下側の固定ナット８３を下側の水平枠材１１（水平板１１Ａ）に当接自在として、座板８８及び下側の水平枠材１１（水平板１１Ａ）の間に配置する。
【００４６】
回止めナット８４は、図１乃至図４、図７及び図８に示すように、金属（鉄、ステンレス等）で形成されて、座板８８、及び下側の固定ナット８３の間の調整ネジ軸８７に螺着して配置される。回止めナット８４は、下側の固定ナット８３に当接自在にされる。
調整ネジ軸８７は、回止めナット８４に螺入（螺着）されて、回止めナット８４を下側の固定ナット８３に当接自在として、座板８８及び下側の固定ナット８３の間に配置する。
【００４７】
図１３乃至図１９において、トラフ支持器具Ｘは、支持杭Ｚと共に、ケーブルトラフＹを敷設するのに使用される。
ケーブルトラフＹを敷設する箇所ＳＯ（場所）は、図１３乃至図１５、及び図１８に示すように、例えば、鉄道路線ＲＷの側方である。ケーブルトラフＹは、鉄道路線ＲＷの側方（敷設箇所ＳＯ）に沿って敷設される。
【００４８】
ケーブルトラフＹは、図１５、図１７乃至図１９に示すように、例えば、トラフ長さ：ＬＴの長尺の箱体に形成されて、トラフ本体９１、トラフ蓋体９２、左側の固定突起９７（左固定突起）、及び右側の固定突起９８（右固定突起）を備える。トラフ本体９１は、四角形の箱体に形成され、底側の水平壁板９３（底水平壁板）、左側の垂直壁板９４（左垂直壁板）、及び右側の垂直壁板９５（右垂直壁板）を有する。各垂直壁板９４，９５は、水平壁板９３の各壁幅端に配置されて、水平壁板９３に直交して一体に形成される。トラフ本体９１は、水平壁板９３と直交方向において、各垂直壁板９４，９５の壁端に開口９６を有する。
トラフ蓋体９２は、開口９６を閉塞して、トラフ本体９１（各垂直壁板９４，９５）に取付けられる。ケーブルトラフＹは、例えば、樹脂で形成される。
【００４９】
各固定突起９７，９８は、図１５、図１８及び図１９に示すように、トラフ本体９１と一体に形成される。固定突起９７は、水平壁板９３に連続して形成され、左側の垂直壁板９４から突出される。固定突起９８は、水平壁板９３に連続して形成され、右側の垂直壁板９５から突出される。
各固定突起９７，９８は、各垂直壁板９４，９５と直交方向に突出量：εを有し、及び水平壁板９３と直交方向に突出高さ：γを有して、各垂直壁板９４，９５から突出される。各固定突起９７，９８の突出高さ：γは、トラフ隙間δより高く（大きく）されている（γ≧δ）。
【００５０】
ケーブルトラフＹの敷設において、複数の支持杭Ｚは、図１３乃至図１６に示すように、金属（鉄、ステンレス等）の丸棒パイプであって、杭嵌込み穴２１（各案内穴３１，３２）の直径：Ｄより僅かに小さい小径の円筒形に形成される。各支持杭Ｚの下端側Ｚａは、鋭角形に形成される。各支持杭Ｚは、下端側Ｚａからトラフ敷設箇所ＳＯ（鉄道路線ＲＷの側方）に打込まれる。各支持杭Ｚは、相互の間に杭間隔を隔てて鉄道線路ＲＷに沿って配置されて、トラフ敷設箇所ＳＯの地中に打込まれる。各支持杭Ｚの杭間隔は、ケーブルトラフＹのトラフ長さ：ＬＴより僅かに短い間隔である。各支持杭Ｚは、途中までトラフ敷設箇所ＳＯ（地中）に打込まれる。
これより、各支持杭Ｚは、図１３乃至図１５に示すように、上下方向ＵＤにおいて、地面から突出して立設される。
【００５１】
各支持杭Ｚの打込みに続いて、各支持杭Ｚにトラフ支持器具Ｘを設置する。各トラフ支持器具Ｘは、図１４乃至図１６に示すように、各支持杭Ｚの上端から下側の杭案内筒体４、杭嵌込み筒体２、及び上側の杭案内筒体３の順に、各支持杭Ｚを嵌込んで配置される。
これにより、各トラフ支持器具Ｘは、トラフ敷設箇所ＳＯに打込んだ各支持杭Ｚに外嵌されて、各支持杭Ｚの杭中心線ｅの方向（上下方向ＵＤ）に移動自在にされる。
各トラフ支持器具Ｘは、図１６に示すように、各支持杭Ｚを案内穴３２、杭嵌込み穴２１及び案内穴３１の順に挿通（貫通）して配置される。
【００５２】
杭嵌込み筒体２に支持杭Ｚを嵌込むと、各トラフ支持器具Ｘは、図１５及び図１９に示すように、位置調整具７によって枠体１の位置（枠体１の高さ位置）を調整する。
各トラフ支持器具Ｘの位置調整具７において、各固定ナット８２，８３、及び回止めナット８４をネジ脚８１の調整ネジ軸８７に対して回動（回転）して、枠体１の下側の水平枠材１１（水平板１１Ａ）から離間する。
これにより、ネジ脚８１は、上下方向ＵＤにおいて、枠体１に対して移動自在にされ、枠体１は、上下方向ＵＤにおいて、ネジ脚８１に対して移動自在にされる。
【００５３】
枠体１を移動自在にすると、各トラフ支持器具Ｘのネジ脚８１は、図１４、図１５及び図１９に示すように、座板８８（板裏平面８８Ｂ）をトラフ敷設箇所ＳＯの地面に載置（当接）して、トラフ敷設箇所ＳＯに立設される。
【００５４】
ネジ脚８１をトラフ敷設箇所ＳＯに立設すると、各トラフ支持器具Ｘの枠体１を上下方向ＵＤに移動して、枠体１の高さ位置（上下方向ＵＤの位置）を調整する。
杭嵌込み筒体２、及び各杭案内筒体３，４は、図１６に示すように、各トラフ支持器具Ｘの移動に伴って、杭嵌込み穴２１、各案内穴３１，３２及び支持杭Ｚによって案内されながら、上下方向ＵＤ（支持杭Ｚの杭中心線ｅの方向）に移動される。
各トラフ支持器具Ｘにおいて、枠体１は、図１９に示すように、下側の水平枠材１１（水平板１１Ａ）の脚ガイド穴１７及び調整ネジ軸８７によって案内されながら、ネジ脚８１に対して上下方向ＵＤに移動する。
これにより、枠体１は、上下方向ＵＤ（杭中心線ｅの方向）において、支持枠Ｚに対して任意の位置に高さ調整される。
【００５５】
枠体１の高さ調整すると、各固定ナット８２，８３を回動（回転）して、下側の水平枠材１１（水平板１１Ａ）に当接する。
各固定ナット８２，８３は、図１９に示すように、上下方向ＵＤ（調整ネジ軸８７の軸中心線ｄの方向）から下側の水平枠材１１の水平板１１Ａを挟持して、ネジ脚８１を枠体１（水平板１１Ａ）に固定する。
回止めナット８４を回動（回転）して、下側の固定ナット８３に押付ける。これにより、回止めナット８４は、下側の固定ナット８３の回動（回転）を止める。
【００５６】
ネジ脚８１を枠体１に固定すると、各トラフ支持器具Ｘの各ボルト４１，４２（筒体固定具５）を回動（回転）して、杭嵌込み筒体２（枠体１）を各支持杭Ｚに固定する。
杭嵌込み筒体２は、図１６に示すように、各ボルト４１，４２の回動によって、杭嵌込み穴２１の直径：Ｄを狭めつつ、支持杭Ｚに当接、及び押付けられて、支持杭Ｚに固定される。
これにより、各トラフ支持器具Ｘの枠体１は、トラフ施設箇所ＳＯに打込んだ各支持杭Ｚに固定され、及びトラフ敷設箇所ＳＯの地面に立設されたネジ脚８１に固定されて、トラフ敷設箇所ＳＯ（地面）及び各支持杭Ｚに設置される。
【００５７】
各トラフ支持器具Ｘをトラフ敷設箇所ＳＯ（各支持杭Ｚ）に設置すると、ケーブルトラフＹを各トラフ支持器具Ｘに載置する。
ケーブルトラフＹは、図１５、図１７乃至図１９に示すように、水平壁板９３から各トラフ支持器具Ｘの上側の水平枠材１０上（水平板１０Ａ上）に載置される。ケーブルトラフＹは、各トラフ支持器具Ｘの間に架設されて、各トラフ支持器具Ｘの水平板１０Ａ上に載置される。ケーブルトラフＹは、各トラフ固定体５１，５２の間に配置されて、枠体１の水平板１０Ａ上に載置される。
これにより、ケーブルトラフＹは、図１９に示すように、トラフ長さ：ＬＴの方向の両端側において、各トラフ支持器具Ｘ（水平板１０Ａ）で支持される。
【００５８】
ケーブルトラフＹを各トラフ支持器具Ｘで支持すると、トラフ固定具６によってケーブルトラフＹを各トラフ支持器具Ｘ（枠体１）に固定する。
トラフ固定具６において、各トラフ固定体５１，５２（トラフ固定本体５５）を左右方向ＬＲに移動する。
各トラフ固定体５１，５２は、図１５、図１７及び図１８示すように、トラフ固定ボルト５６及び各ガイド長穴１５，１６によって案内されながら、トラフ本体９１の各垂直壁板９４，９５（各固定突起９７，９８）に向けて移動される。
各トラフ固定体５１，５２（トラフ固定本体５５）は、図１７及び図１８に示すように、左右方向ＬＲの移動に伴って、挟持平面ＳＰ（固定垂直板６８）をトラフ本体９１の各垂直壁板９４，９５に当接して、左右方向ＬＲからケーブルトラフＹを挟持する。
各トラフ固定体５１，５２（トラフ固定本体５５）は、図１８に示すように、左右方向ＬＲの移動に伴って、押え平面ＯＰ（固定水平板６７）をトラフ本体９１の各固定突起９７，９８に当接して、上側の水平枠材１０（水平板１０Ａ）の間に各固定突起９７，９８を挿入（配置）する。
これにより、ケーブルトラフＹは、各固定突起９７，９８を各トラフ固定体５１，５２の押さえ平面ＯＰ及び枠体１の水平板１０Ａ（上側の水平枠材１０）の間に挿入して配置される。
【００５９】
各トラフ固定体５１，５２の挟持平面ＳＰをトラフ本体９１に当接すると、例えば、トラフ固定ナット５７を上側の水平枠材１０（水平板１０Ａ）に当接した状態において、トラフフ固定ボルト５６をトラフ固定ナット５７に対して回動（回転）して、頭部７２をトラフ固定本体５５の固定水平板６６に当接する。
各トラフ固定体５１，５２のトラフ固定本体５５は、図１８及び図１９に示すように、トラフ固定ボルト５６の回動に伴って、上下方向ＵＤにおいて、上側の水平枠材１０（水平板１０Ａ）に向けて移動される。各トラフ固定体５１，５２は、挟持平面ＳＰをトラフ本体９１に当接した状態で、押え平面ＯＰを各固定突起９７，９８に押付けて配置される。
これにより、ケーブルトラフＹは、各トラフ固定体５１，５２の挟持平面ＳＰによって挟持され、各トラフ固定体５１，５２の押え平面ＯＰ及び水平板１０Ａ（上側の水平枠材１０）によって各固定突起９７，９８が挟持されて、各トラフ支持器具Ｘの水平枠材１０（水平板１０Ａ）に固定される。
【００６０】
このように、鉄道路線ＲＷの側方（トラフ敷設箇所ＳＯ）に沿って複数の支持杭Ｚを打込んで、及び各支持枠Ｚに複数のトラフ支持器具Ｘを設置する。複数の支持杭Ｚに設置した複数のトラフ支持器具Ｘに複数のケーブルトラフＹを連続して載置して固定することで、複数のケーブルトラフＹは、鉄道路線ＲＷの側方（フラフ敷設箇所そ）に沿って連続して敷設される。
鉄道路線ＲＷに沿って連続して敷設した複数のケーブルトラフＹは、図１５及び図１７に示すように、トラフ蓋体９２をトラフ本体９１から取外して、トラフ本体９１内に電線、光ファイバ等のケーブルＫＢを収納する。
【００６１】
本考案では、ケーブルトラフＹは、図１５、図１７及び図１９で説明した構成に限定されない。
本考案では、ケーブルトラフＹを敷設する箇所（場所）は、鉄道路線ＲＷの側方に限定されない。
【産業上の利用可能性】
【００６２】
本考案は、ケーブルトラフを敷設するのに最適である。
【符号の説明】
【００６３】
Ｘ  トラフ支持器具
Ｙ  ケーブルトラフ
１  枠体
２  杭嵌込み筒体
５  筒体固定具
６  トラフ固定具
７  位置調整具（高さ位置調整具）
１０  上側の水平枠材
１１  下側の水平枠材
１２  左側の垂直枠材
１３  右側の垂直枠材
【図１】
0003229820.tif 000003
【図２】
0003229820.tif 000004
【図３】
0003229820.tif 000005
【図４】
0003229820.tif 000006
【図５】
0003229820.tif 000007
【図６】
0003229820.tif 000008
【図７】
0003229820.tif 000009
【図８】
0003229820.tif 000010
【図９】
0003229820.tif 000011
【図１０】
0003229820.tif 000012
【図１１】
0003229820.tif 000013
【図１２】
0003229820.tif 000014
【図１３】
0003229820.tif 000015
【図１４】
0003229820.tif 000016
【図１５】
0003229820.tif 000017
【図１６】
0003229820.tif 000018
【図１７】
0003229820.tif 000019
【図１８】
0003229820.tif 000020
【図１９】
0003229820.tif 000021